(57)【要約】【課題】メモリカードの装填が容易に行え、複数のメモリカードを所有する場合でも、閲覧に用いているメモリカードを直感的に認識しやすい画像閲覧装置を提供する。【解決手段】本のように見開いた状態で、右ページに相当する面（筐体１０２）にユーザが再生したいメモリカード２００を装填し、これに応動して制御部がメモリカード２００から画像データを読み出して、左ページに相当する面（筐体１０１）に搭載された表示部１０４に、制御部が上記画像データに基づく映像を表示させるようにしたものである。【選択図】      図１
2010157972.tif 000002
【特許請求の範囲】
【請求項１】
第１平面を有する第１筐体と、
第２平面を有する第２筐体と、
前記第１筐体と前記第２筐体を、前記第１平面と前記第２平面が為す角を可変自在に接続する接続手段と、
前記第１平面上に備えられ、画像を表示する表示手段と、
前記第２平面上に備えられ、画像データを記憶する記憶媒体を保持する保持手段と、
前記保持手段に保持された記憶媒体から画像データを読み出す読出手段と、
この読出手段が読み出した画像データに基づく映像を前記表示手段に表示する表示制御手段とを具備することを特徴とする画像閲覧装置。
【請求項２】
平面を有する筐体と、
前記平面上に備えられ、画像を表示する表示手段と、
前記平面上に前記表示手段に隣接して備えられ、画像データを記憶する記憶媒体を保持する保持手段と、
前記保持手段に保持された記憶媒体から画像データを読み出す読出手段と、
この読出手段が読み出した画像データに基づく映像を前記表示手段に表示する表示制御手段とを具備することを特徴とする画像閲覧装置。
【請求項３】
前記保持手段は、前記記憶媒体が有する最も大きな平面の少なくとも一部が見えるように、前記記憶媒体を保持することを特徴とする請求項１または請求項２に記載の画像閲覧装置。
【請求項４】
前記保持手段は、前記記憶媒体が有する最も大きな平面を透明部材で覆うことで、前記記憶媒体を保持することを特徴とする請求項１または請求項２に記載の画像閲覧装置。
【請求項５】
さらに、前記表示手段の姿勢を検出する姿勢検出手段を備え、
前記表示制御手段は、前記姿勢検出手段が検出した姿勢に応じて、前記画像データに基づく映像の天地を可変して前記表示手段に表示することを特徴とする請求項１または請求項２に記載の画像閲覧装置。
【請求項６】
さらに、前記第１平面と前記第２平面が為す角を検出する開閉検出手段を備え、
前記表示制御手段は、前記開閉検出手段の検出結果に応じて、前記表示手段に対する表示制御の開始または前記表示制御の終了を行うことを特徴とする請求項１に記載の画像閲覧装置。
【請求項７】
さらに、前記第１平面と前記第２平面が為す角を検出する開閉検出手段を備え、
前記表示制御手段は、前記開閉検出手段の検出結果に応じて、新たな画像データを前記読出手段を通じて取得し、この画像データに基づく映像を前記表示手段に表示することを特徴とする請求項１に記載の画像閲覧装置。
【請求項８】
さらに、前記表示手段を前記第１平面上で回転自在に保持する表示部保持手段を備えることを特徴とする請求項１または請求項２に記載の画像閲覧装置。
【請求項９】
さらに、前記表示部保持手段の回転角度を検出する角度検出手段を備え、
前記表示制御手段は、前記角度検出手段が検出した角度に応じて、前記画像データに基づく映像の天地を可変して前記表示手段に表示することを特徴とする請求項８に記載の画像閲覧装置。
【請求項１０】
さらに、前記保持手段が設けられる面上に、予備の記録媒体を保持する予備媒体保持手段を備えることを特徴とする請求項１または請求項２に記載の画像閲覧装置。
【発明の詳細な説明】
【技術分野】
【０００１】
この発明は、画像データを表示するのに用いられる画像閲覧装置に関する。
【背景技術】
【０００２】
周知のように、近年、デジタルカメラの普及は目覚ましく、パーソナルコンピュータ（以下、パソコンと略称する）に精通しないユーザにも浸透してきている。さらに、昨今のメモリカードの価格低下により、メモリカードを再利用せずに、そのまま画像データを記録した電子アルバムとして保存しておきたいという要求が高くなってきている背景がある。
【０００３】
また最近では、メモリカードに記録された画像データを表示する画像閲覧装置（例えば、特許文献１）の普及も進んでいる。この画像閲覧装置を用いれば、パソコンなどを用いずに、撮影した画像を閲覧できるので、複雑な電子機器に不慣れなお年寄りや子供でも画像を閲覧することが困難ではない。
【０００４】
しかしながら、従来の画像閲覧装置は、パソコンなどの電子機器よりは操作が簡単であるものの、小さなメモリカードを小さなスロットに装填する場合に注意深い作業が要求されるものであり、またデザインも表示領域を優先するものが主であって、どこかにおいて使用することを主としており、操作性の面で改善が求められていた。
【特許文献１】特開２００１−０１６５３６公報
【発明の開示】
【発明が解決しようとする課題】
【０００５】
従来の画像閲覧装置では、パソコンなどの電子機器よりは操作が簡単であるものの、小さなメモリカードを小さなスロットに装填する場合に注意深い作業が要求されるものであり、またデザインも表示領域を優先するものが主であって、操作性の面で改善が求められていた。
【０００６】
この発明は上記の要望に応えるべくなされたもので、メモリカードの装填が容易に行え、複数のメモリカードを所有する場合でも、閲覧に用いているメモリカードを直感的に認識しやすい画像閲覧装置を提供することを目的とする。
【課題を解決するための手段】
【０００７】
上記の目的を達成するために、この発明は、第１平面を有する第１筐体と、第２平面を有する第２筐体と、第１筐体と前記第２筐体を、第１平面と前記第２平面が為す角を可変自在に接続する接続手段と、第１平面上に備えられ、画像を表示する表示手段と、第２平面上に備えられ、画像データを記憶する記憶媒体を保持する保持手段と、保持手段に保持された記憶媒体から画像データを読み出す読出手段と、この読出手段が読み出した画像データに基づく映像を表示手段に表示する表示制御手段とを具備して構成するようにした。
【発明の効果】
【０００８】
以上述べたように、この発明では、画像を表示する表示手段と、画像データを記憶する記憶媒体（メモリカード）を保持する保持手段を一度に視認できるように設けている。  
したがって、この発明によれば、メモリカードの装填が容易に行え、複数のメモリカードを所有する場合でも、閲覧に用いているメモリカードを直感的に認識しやすい画像閲覧装置を提供できる。
【発明を実施するための最良の形態】
【０００９】
以下、図面を参照して、この発明の一実施形態について説明する。  
図１は、この発明の一実施形態に係わる画像閲覧装置の構成を示すものである。この画像閲覧装置は、筐体１０１と、筐体１０２と、回転ヒンジ１０３とを備え、筐体１０１と筐体１０２とが回転ヒンジ１０３によって、図２に示すように、本のように閉じた状態から見開けるように、回動自在に結合されており、この状態でテーブル３００などに載置して利用する。また、さらに回転ヒンジ１０３を回動させて、１８０゜以上開き、図３に示すようにテーブル３００に載置して利用してもよい。また十分な開き角度を得るために、回転ヒンジ１０３をダブルヒンジで構成するようにしてもよい。
【００１０】
筐体１０１には、表示部１０４と、操作部１０５とが設けられる。表示部１０４は、LCD(Liquid Crystal Display)や有機EL(Electro Luminescence)ディスプレイなどのデバイスを用いたものであって、後述するカードメディアスロット１０６にてメモリカード２００から読み出されたデータを表示するものである。操作部１０５は、ユーザからの要求を受け付けるものであって、例えば電源のＯＮ／ＯＦＦ、表示する画像の順送り切り替え、逆送り切り替えなどの要求に対応するスイッチがそれぞれ設けられ、種々の要求を受け付けるものである。
【００１１】
筐体１０２には、メモリカード２００を装填するためのカードメディアスロット１０６を備える。メモリカード２００は、例えばフラッシュメモリを用いた半導体の記録媒体であって、ディジタルカメラで記録媒体として用いられて撮影した画像データが記録された後に、上記カードメディアスロット１０６に装填される。
【００１２】
カードメディアスロット１０６は、メモリカード２００が装填され、物理的・電気的に当該画像閲覧装置に接続され、メモリカード２００に記録される画像データを読み出す。図４に、カードメディアスロット１０６の構成例を示す。図４に示す構成例では、カードメディアスロット１０６は、カードスロープ１０６０と、カード挿入部１０６１と、カードホルダ１０６２と、カードＩ／Ｆ（インタフェース）１０６３とを備える。
【００１３】
カードスロープ１０６０およびカード挿入部１０６１は、それぞれ筐体１０２の表面に設けられたメモリカード２００のガイド溝であり、メモリカード２００を収納できる幅を有し、メモリカード２００をカードＩ／Ｆ１０６３まで導くものである。
【００１４】
カードスロープ１０６０は、カード挿入部１０６１にメモリカード２００を導入しやすいように、筐体１０２の表面の高さから、カード挿入部１０６１の深さまでを結ぶスロープとなっている。これによりユーザは、カードスロープ１０６０にメモリカード２００を指で押しつけ、カードＩ／Ｆ１０６３方向にメモリカード２００をすべらせることで（図４（ａ））、容易にメモリカード２００をカード挿入部１０６１の突き当たりに位置するカードＩ／Ｆ１０６３に装填でき（図４（ｂ））、また反対に、カードＩ／Ｆ１０６３に装填したメモリカード２００をカードスロープ１０６０方向に指ですべらせることで、メモリカード２００をカードＩ／Ｆ１０６３から取り外すことが容易にできる。
【００１５】
なお、カードＩ／Ｆ１０６３の上方には、メモリカード２００を保持するためのカードホルダ１０６２を備える。カードホルダ１０６２は、アクリルなどの透明部材からなり、メモリカード２００上のインデックス部２０１のメモ書きなどが視認できるようになっている。
【００１６】
すなわち、カードホルダ１０６２とカードＩ／Ｆ１０６３の間には、メモリカード２００が保持できるだけの間隙が設けられている。またこの間隙に保持されたメモリカード２００を指で押さえて引き出して取り出せるように、カードホルダ１０６２はメモリカード２００よりも小さい面積となっている。
【００１７】
カードＩ／Ｆ１０６３は、複数の電気接点を有し、これによりメモリカード２００の電気接点と電気的に接続し、メモリカード２００に記録される画像データなどのデータを読み出すものである。またカードＩ／Ｆ１０６３の電気接点は、カードホルダ１０６２によって外部から保護される。そして、カードＩ／Ｆ１０６３の電気接点がメモリカード２００を下から押圧することで、カードホルダ１０６２とカードＩ／Ｆ１０６３の間にメモリカード２００が保持される。
【００１８】
なお、メモリカード２００を安定して保持するために、メモリカード２００やカード挿入部１０６１の幅がユーザから力が加わることで若干変化することを見込んで、メモリカードとカード挿入部１０６１が摩擦するように、少なくとも一方に突起を設けるようにしてもよい。
【００１９】
カードメディアスロット１０６の変形例として、図５に示すようなカードメディアスロット１０７も考えられる。カードメディアスロット１０７もカードメディアスロット１０６と同様に、筐体１０２の表面に設けられる。ただし、カードメディアスロット１０６とは異なり、メモリカード２００をカードホルダ１０６２で保持するのではなく、メモリカード２００を装填する溝であるカード挿入部１０７１の外周に設けられたカード押さえ１０７２およびカード引掛け部１０７５によって、メモリカード２００を保持する。
【００２０】
またカード挿入部１０７１のほぼ中央には、電気接点であるコンタクト押し出しボタン１０７４が設けられており、これを装填されるメモリカード２００は押下することにより、昇降式コンタクト１０７３が突出して、メモリカード２００と電気的に接続される。すなわち、メモリカード２００を装填しない場合には、昇降式コンタクト１０７３が筐体１０２内に没入して、外部から保護されることになる。
【００２１】
図６に、昇降式コンタクト１０７３の昇降メカニズムを示す。コンタクト押し出しボタン１０７４と昇降式コンタクト１０７３は、リンク回転支点１０７７を支点とするシーソー式リンク１０７６の両端上にある。またシーソー式リンク１０７６の昇降式コンタクト１０７３側の辺では、リンク回転支点１０７７と昇降式コンタクト１０７３の間をスプリング１０７８がその復元力により押圧している。
【００２２】
これにより、メモリカード２００が装填されない場合には、スプリング１０７８の復元力によって昇降式コンタクト１０７３が筐体１０２内に没入する。一方、メモリカード２００を装填する場合には、メモリカード２００の先端をカード引掛け部１０７５で固定し、そしてメモリカード２００を指などで筐体１０２方向に押すことにより、メモリカード２００が両脇からカード押さえ１０７２によって保持され、これにより３方向から保持される。
【００２３】
すると、装填されたメモリカード２００によってコンタクト押し出しボタン１０７４が押下されて、この力がシーソー式リンク１０７６を介して昇降式コンタクト１０７３を筐体１０２外に突出させ、昇降式コンタクト１０７３がメモリカード２００の電気接点に接触する。
【００２４】
次に、図７を参照して、当該画像閲覧装置の回路構成について説明する。この画像閲覧装置は、制御部１００と、表示部１０４と、操作部１０５と、カードＩ／Ｆ１０６３と、加速度センサ１１０と、電源部１２０と、コネクタ１３０を備える。図１に示す例では、表示部１０４と操作部１０５は、筐体１０１に搭載し、カードＩ／Ｆ１０６３は筐体１０２に搭載する。その他の構成については、どちらの筐体に搭載してもよいが、加速度センサ１１０は表示部１０４と同じ筐体に設けることが好ましい。
【００２５】
表示部１０４は、前述したように、LCDや有機ELディスプレイなどのデバイスを用いたものであって、制御部１００によって表示制御され、画像を表示する。  
操作部１０５は、前述したように、ユーザからの要求を受け付けるものであって、例えば電源のＯＮ／ＯＦＦ、表示する画像の順送り切り替え、逆送り切り替えなどの要求に対応するスイッチがそれぞれ設けられ、種々の要求を受け付けるものである。
【００２６】
カードＩ／Ｆ１０６３は、カードメディアスロット１０６に設けられ、前述したように、複数の電気接点を有し、これによりメモリカード２００の電気接点と電気的に接続し、メモリカード２００に記録される画像データなどのデータを読み出すものである。  
加速度センサ１１０は、当該画像閲覧装置の天地を検出するもので、これにより表示部１０４の向きを検出する。
【００２７】
電源部１２０は、バッテリからの供給電力もしくはコネクタ１３０を通じてＡＣアダプタから供給される電力を、当該画像閲覧装置の各部に動作電力として供給するものである。コネクタ１３０は、ＡＣアダプタのジャックが接続され、ＡＣアダプタから電力が入力されるもので、上記ジャックが着脱自在な構造を有している。
【００２８】
制御部１００は、当該画像閲覧装置の各部を統括して制御するものであって、カードＩ／Ｆ１０６３にメモリカード２００が接続されたことを検出すると、メモリカードＩ／Ｆ１０６３を制御して、メモリカード２００に記録される画像データなどを読み出し、この読み出した画像データに基づく映像を表示部１０４を制御して表示するものである。
【００２９】
また制御部１００は、操作部１０５を通じて、順送り表示の指示を受け付けると、現在表示している画像データの次順の画像データをメモリカード２００から読み出して、その画像データに基づく映像を表示部１０４を制御して表示し、同様に、操作部１０５を通じて、逆送り表示の指示を受け付けると、現在表示している画像データの前順の画像データをメモリカード２００から読み出して、その画像データに基づく映像を表示部１０４を制御して表示する。そしてまた、操作部１０５を通じて、スライド表示の指示を受け付けると、メモリカード２００に記録された画像データを周期的に順次読み出して、読み出した画像データに基づく映像を表示部１０４に表示するスライド表示制御を行う。
【００３０】
そして制御部１００は、上述した表示を行う際に、加速度センサ１１０の検出結果に基づいて、画像の向きを切り替えて表示を行う。すなわち、表示部１０４が縦長の姿勢を取っているか、あるいは横長の姿勢を取っているかを加速度センサ１１０の検出結果で判断し、この判断した姿勢に基づき、必要に応じて画像を９０゜回転させて表示させる。天地を逆さまにした場合には、制御部１００は、画像を１８０゜回転させて表示させる。
【００３１】
なお、この回転表示制御は、操作部１０５を通じたユーザからの要求によりＯＦＦにできる。すなわち、ＯＦＦにした場合には、制御部１００は、加速度センサ１１０の検出結果によらず、画像を表示部１０４にいっぱいに表示する。
【００３２】
以上のように、上記構成の画像閲覧装置では、本のように見開いた状態で、右ページに相当する面（筐体１０２）にユーザが再生したいメモリカード２００を装填し、これに応動して制御部１００がメモリカード２００から画像データを読み出して、左ページに相当する面（筐体１０１）に搭載された表示部１０４に、制御部１００が上記画像データに基づく映像を表示させるようにしている。
【００３３】
したがって、上記構成の画像閲覧装置によれば、メモリカード２００の装填が容易に行え、複数のメモリカードを所有する場合でも、閲覧に用いているメモリカード２００が目視できて直感的に認識しやすい。またメモリカード２００のインデックス部２０１が視認できるので、複数のメモリカードを区別することができる。このため、お年寄りや子供でも、容易に操作が行える。
【００３４】
また２つの筐体１０１，１０２は、回転ヒンジ１０３によって回動自在に結合しているので、ユーザは任意の開き角に調整でき、図２に示したようにテーブル３００上に立てたり、あるいは１８０゜以上開いて、図３に示すように、筐体１０１だけがユーザ側に向くように設置することもできる。
【００３５】
また利用しない場合には、本のように閉じて収納することもできる。このように収納することで、表示部１０４、操作部１０５およびカードメディアスロット１０６を保護することができ、持ち運びする際に壊してしまうことを防止できる。なお、筐体１０１，１０２を閉じた状態で、表示部１０４、操作部１０５およびカードメディアスロット１０６が干渉しないように出っ張りを調整して設計することはいうまでもない。
【００３６】
また加速度センサ１１０を備えて、表示部１０４の向きを検出して、制御部１００が必要に応じて画像を９０゜回転させて表示するようにしている。このため、設置される状態が図２の状態か図３の状態かを判別して、見やすい向きで表示することができる。またユーザが手にとって見る際にも、ユーザが見ている状態に合わせて、画像が表示されることになるので利便性が高い。
【００３７】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００３８】
その一例として例えば、上記実施の形態では、操作部１０５をユーザがＯＮ／ＯＦＦするものとして説明したが、例えば、ＯＮ／ＯＦＦを行うボタンを他のボタンよりも隆起させて、閉じた状態では筐体１０２がＯＮ／ＯＦＦボタンを押下するようにし、開いた状態となって押下されなくなると、これを制御部１００が検出して画像表示を開始するようにしてもよい。また回転ヒンジ１０３内に、ロータリエンコーダなどの角度センサを設けて、筐体１０１と筐体１０２が成す角度を検出し、予め設定した角度以上になると、これを制御部１００が検出して画像表示を開始するようにしてもよい。
【００３９】
またこのような開閉操作による上述のＯＮ／ＯＦＦボタン操作や角度可変により、表示する画像を次の画像に切り替えるようにしてもよい。すなわち、本を閉じたり開いたりする要領で操作し、これを検出した制御部１００が、メモリカード２００から別の画像データを読み出して、表示部１０４に表示する。このような構成によれば、よりユーザ操作が容易になる。
【００４０】
また操作部１０５に代わり、あるいは操作部１０５に加えて、表示部１０４上にタッチ操作を検出するタッチパネルを設けて、タッチパネルに対する操作を制御部１００が検出して、画像表示の切り替えなどを行うようにしてもよい。この場合でも、本のように閉じることで、タッチパネルが保護できるとともに、運搬時などにおける誤動作を防止できる。
【００４１】
さらに、筐体１０１の表示部１０４を搭載する面の余白や、筐体１０２のカードメディアスロット１０７を搭載する面の余白に、予備のメモリカードを保持するカードホルダを設けるようにしてもよい。
【００４２】
また図８に示すように、表示部１０４を例えば円形の回転台座１０４０上に設け、ユーザが表示部１０４を任意に回転できるようにしてもよい。上記回転台座１０４０は、表面に表示部１０４を搭載し、裏面の中心を軸支して筐体１０２に接続する。さらに加速度センサ１１０に代わって、回転台座１０４０の回転角度を検出する角度検出センサを設ける。そして制御部１００は、角度検出センサの検出結果に基づいて、表示部１０４が筐体１０１上において、縦長に設定されているか横長に設定されているかを判定し、この判定結果に応じて、表示画像の天地を切り替えて画像表示を行う。これにより、ユーザが見やすい任意の向きに表示部１０４を回転させて画像を閲覧することができる。
【００４３】
また、上記実施の形態では、表示部１０４とカードメディアスロット１０７を別の筐体にそれぞれ設けるようにしたが、一方の筐体の同一面上に表示部１０４とカードメディアスロット１０７を並べて設けたり、あるいは、１つの筐体だけで構成し、同一面上に表示部１０４とカードメディアスロット１０７を並べて設けるようにしてもよい。
【００４４】
このような構成によっても、メモリカード２００の装填が容易に行え、複数のメモリカードを所有する場合でも、閲覧に用いているメモリカード２００が目視できて直感的に認識しやすく、またメモリカード２００のインデックス部２０１が視認できるので、複数のメモリカードを区別することができる。このため、お年寄りや子供でも、容易に操作が行える。  
その他、この発明の要旨を逸脱しない範囲で種々の変形を施しても同様に実施可能であることはいうまでもない。
【図面の簡単な説明】
【００４５】
【図１】この発明に係わる画像閲覧装置の一実施形態の構成を示す回路ブロック図。
【図２】図１に示した画像閲覧装置を小さく開いてテーブル上に立てた状態を示す図。
【図３】図１に示した画像閲覧装置を大きく開いてテーブル上に立てた状態を示す図。
【図４】カードメディアスロットにメモリカードを装填する様子を示す図。
【図５】カードメディアスロットの別の構成例を示す図。
【図６】図５に示したカードメディアスロットの断面構造を示す図。
【図７】図１に示した画像閲覧装置の回路構成を説明するための機能ブロック図。
【図８】回転台座上に表示部を設ける場合の構成を示す図。
【符号の説明】
【００４６】
１００…制御部、１０１，１０２…筐体、１０３…回転ヒンジ、１０４…表示部、１０５…操作部、１０６，１０７…カードメディアスロット、１１０…加速度センサ、１２０…電源部、１３０…コネクタ、２００…メモリカード、２０１…インデックス部、３００…テーブル、１０４０…回転台座、１０６０…カードスロープ、１０６１…カード挿入部、１０６２…カードホルダ、１０６３…カードＩ／Ｆ、１０７１…カード挿入部、１０７３…昇降式コンタクト、１０７４…コンタクト押し出しボタン、１０７５…カード引掛け部、１０７６…シーソー式リンク、１０７７…リンク回転支点、１０７８…スプリング。
【図１】
2010157972.tif 000003
【図２】
2010157972.tif 000004
【図３】
2010157972.tif 000005
【図４】
2010157972.tif 000006
【図５】
2010157972.tif 000007
【図６】
2010157972.tif 000008
【図７】
2010157972.tif 000009
【図８】
2010157972.tif 000010